【手続補正書】
【提出日】平成30年4月24日(2018.4.24)
【手続補正１】
【補正対象書類名】特許請求の範囲
【補正対象項目名】全文
【補正方法】変更
【補正の内容】
【特許請求の範囲】
【請求項１】
ＵＳＢハブであって、
複数の下流ポートと、
少なくとも１つの二重モードポートであって、前記二重モードポートは、下流ポートから上流ポートに切り替え可能であるように構成されている、二重モードポートと、
上流ポートとして動作しているとき、ホストが接続されているかどうかを検出するホスト検出回路であって、前記ホスト検出回路は、ＤＭ接続ラインに結合されているプルアップレジスタまたは電流源を備え、前記検出回路は、前記ＤＭ接続ラインが所定の論理レベルを有すると決定された場合に前記二重モードポートに接続されているとして前記ホストを検出するために、一時停止状態に入った後に、前記ＤＭ接続ラインの論理レベルを周期的にサンプリングし、ホストが依然として接続されているかどうかを決定するようにさらに構成されている、ホスト検出回路と
を備えている、ＵＳＢハブ。
【請求項２】
前記電流源は、前記ＤＭ接続ラインと接地との間に結合されている１０μＡ電流源である、請求項１に記載のＵＳＢハブ。
【請求項３】
前記ホスト検出回路は、前記ＤＭ接続ラインに結合されている１２５ｋΩプルアップレジスタを備えている、請求項１に記載のＵＳＢハブ。
【請求項４】
前記ホスト検出回路は、前記ＤＭ接続ラインに結合されている第１の入力と、基準電圧に結合されている第２の入力とを有するコンパレータをさらに備えている、請求項１に記載のＵＳＢハブ。
【請求項５】
前記ホスト検出回路は、ＤＰ接続ラインに結合されている別のプルアップレジスタと、前記ＤＰ接続ラインに結合されている第１の入力および別の基準電圧に結合されている第２の入力を有する別のコンパレータとをさらに備えている、請求項１に記載のＵＳＢハブ。
【請求項６】
前記ホスト検出回路は、ＤＰ接続ラインおよび前記ＤＭ接続ラインが同一の所定の論理レベルを有すると決定された場合、接続されているとして前記ホストを検出するように構成されている、請求項１に記載のＵＳＢハブ。
【請求項７】
コントローラをさらに含み、前記コントローラは、前記ホストが切断されたと決定された場合、前記二重モードポートが下流ポートとしての機能に戻るように切り替わるように、前記二重モードポートにおけるモードを切り替えるように構成されている、請求項１に記載のＵＳＢハブ。
【請求項８】
請求項１〜７のいずれか一項に記載のＵＳＢハブと、ホストデバイスとを備えているシステムであって、前記ホストは、前記ホストの個別のＤＭ接続ラインに結合されている第１のプルダウンレジスタと、前記ホストの個別のＤＰ接続ラインに結合されている第２のプルダウンレジスタとを備えている、システム。
【請求項９】
方法であって、
二重モードポートを含むＵＳＢハブにおいて、前記二重モードポートのＵＳＢポート機能を下流ポートとしての第１のモードから上流ポートとしての第２のモードに切り替えることと、
その後、上流ポートとして動作している間に一時停止状態に入ると、ホスト検出回路によって提供されるＤＭ接続ラインの論理レベルを周期的にサンプリングし、ホストが依然として接続されているかどうかを決定することであって、前記ホスト検出回路は、前記ＤＭ接続ラインに結合されているプルアップレジスタまたは電流源を備えている、ことと
を含む、方法。
【請求項１０】
前記電流源は、１０μＡ電流源を備えている、請求項９に記載の方法。
【請求項１１】
ＤＰ接続ラインに結合されている別のプルアップレジスタをさらに含み、前記ホストは、前記ＤＰ接続ラインと前記ＤＭ接続ラインとが同一の所定の論理レベルを有していると決定された場合、接続されているとして検出される、請求項９に記載の方法。
【請求項１２】
前記ホストが切断されたと決定された場合、前記二重モードポートが下流ポートとしての機能に戻るように切り替わるように、前記二重モードポートにおけるモードを切り替えることを含む、請求項９に記載の方法。
【請求項１３】
周期的にサンプリングするステップは、コンパレータを使用して実行される、請求項９に記載の方法。
【請求項１４】
前記ホストは、前記ホストの個別のＤＭ接続ラインに結合されている第１のプルダウンレジスタを備えている、請求項９に記載の方法。
【請求項１５】
前記ホストは、前記ホストの個別のＤＰ接続ラインに結合されている第２のプルダウンレジスタを備えている、請求項９に記載の方法。
【請求項１６】
ＵＳＢハブであって、
コントローラと、
複数の下流ポートと、
少なくとも１つの二重モードポートであって、前記二重モードポートは、前記コントローラによって下流ポートから上流ポートに切り替え可能であるように構成されている、二重モードポートと、
上流ポートとして動作しているとき、ホストが接続されているかどうかの指示を前記コントローラに提供するホスト検出回路と、
を備えている、ＵＳＢハブ。
【請求項１７】
前記回路は、前記二重モードポートが一時停止状態に入った場合、動作可能である、請求項１６に記載のＵＳＢハブ。
【請求項１８】
前記少なくとも１つの二重モードポートは、ＤＰ接続ラインおよびＤＭ接続ラインをさらに備え、
前記ＤＭ接続ラインは、前記ホスト検出回路と結合されており、
上流ポートとして動作しているとき、前記ホストの接続は、前記ホスト検出回路を用いて決定されることができ、前記ホスト検出回路は、ホストが切断されると、所定の論理値が前記ＤＭ接続ラインにおいて識別されるようにする、請求項１７に記載のＵＳＢハブ。
【請求項１９】
前記ホスト検出回路は、電流源を備えている、請求項１６に記載のＵＳＢハブ。
【請求項２０】
前記電流源は、前記ＤＭ接続ラインと接地との間に結合されている１０μＡ電流源である、請求項１９に記載のＵＳＢハブ。
【請求項２１】
前記ホスト検出回路は、前記ＤＭ接続ラインに結合されているプルアップレジスタを備えている、請求項１８に記載のＵＳＢハブ。
【請求項２２】
前記コントローラは、前記ホストが切断されたと決定された場合、前記二重モードポートが、下流ポートとしての機能に戻るように切り替わるように、前記二重モードポートにおけるモードを切り替えるように構成されている、請求項１７に記載のＵＳＢハブ。
【手続補正２】
【補正対象書類名】明細書
【補正対象項目名】００２２
【補正方法】変更
【補正の内容】
【００２２】
本開示のこれらおよび他の側面は、以下の説明および付随の図面と併せて検討されるとき、より深く認識および理解されるであろう。しかしながら、以下の説明は、本開示および多数のその具体的詳細の種々の実施形態を示すが、所与の例証として与えられ、限定ではないことを理解されたい。多くの代用、修正、追加、および／または並べ替えが、その精神から逸脱することなく、本開示の範囲内で行われ得、本開示は、全てのそのような代用、修正、追加、および／または並べ替えを含む。
本発明は、例えば、以下を提供する。
（項目１）
ＵＳＢハブであって、
複数の下流ポートと、
少なくとも１つの二重モードポートであって、前記二重モードポートは、下流ポートから上流ポートに切り替え可能であるように構成されている、二重モードポートと、
上流ポートとして動作しているとき、ホストが接続されているかどうかを検出するホスト検出回路と
を備えている、ＵＳＢハブ。
（項目２）
前記回路は、前記二重モードポートが一時停止状態に入った場合、動作可能である、項目１に記載のＵＳＢハブ。
（項目３）
前記少なくとも１つの二重モードポートは、ＤＰ接続ラインおよびＤＭ接続ラインをさらに備え、
前記ＤＭ接続ラインは、前記ホスト検出回路と結合されており、
上流ポートとして動作しているとき、前記ホストの接続は、前記ホスト検出回路を用いて決定されることができ、前記ホスト検出回路は、ホストが切断されると、所定の論理値が前記ＤＭラインにおいて識別されるようにする、項目１に記載のＵＳＢハブ。
（項目４）
前記ホスト検出回路は、電流源を備えている、項目３に記載のＵＳＢハブ。
（項目５）
前記電流源は、前記ＤＭ接続ラインと接地との間に結合されている１０μＡ電流源である、項目４に記載のＵＳＢハブ。
（項目６）
前記ホスト検出回路は、前記ＤＭ接続ラインに結合されているプルアップレジスタを備えている、項目３に記載のＵＳＢハブ。
（項目７）
コントローラをさらに含み、前記コントローラは、前記ホストが切断されたと決定された場合、前記二重モードポートが下流ポートとしての機能に戻るように切り替わるように、前記二重モードポートにおけるモードを切り替えるように構成されている、項目１に記載のＵＳＢハブ。
（項目８）
方法であって、
二重モードポートを含むＵＳＢハブにおいて、前記二重モードポートのＵＳＢポート機能を下流ポートとしての第１のモードから上流ポートとしての第２のモードに切り替えることと、
一時停止状態に入ると、ホスト検出回路によって提供されるＤＭ接続ラインの論理レベルを周期的にサンプリングし、ホストが依然として接続されているかどうかを決定することと
を含む、方法。
（項目９）
前記ホスト検出回路は、前記ＤＭ接続ラインと接地との間に結合されている電流源を備えている、項目８に記載の方法。
（項目１０）
前記電流源は、１０μＡ電流源を備えている、項目９に記載の方法。
（項目１１）
前記ホスト検出回路は、前記ＤＭ接続ラインに結合されているプルアップレジスタを備えている、項目８に記載の方法。
（項目１２）
ＤＰ接続ラインに結合されているプルアップレジスタをさらに含み、前記ホストは、前記ＤＰ接続ラインと前記ＤＭ接続ラインとが同一の所定の論理レベルを有していると決定された場合、接続されているとして検出される、項目８に記載の方法。
（項目１３）
前記ホストが切断されたと決定された場合、前記二重モードポートが下流ポートとしての機能に戻るように切り替わるように、前記二重モードポートにおけるモードを切り替えることを含む、項目８に記載の方法。
（項目１４）
ＵＳＢハブであって、
コントローラと、
複数の下流ポートと、
少なくとも１つの二重モードポートであって、前記二重モードポートは、前記コントローラによって下流ポートから上流ポートに切り替え可能であるように構成されている、二重モードポートと、
上流ポートとして動作しているとき、ホストが接続されているかどうかの指示を前記コントローラに提供するホスト検出回路と、
を備えている、ＵＳＢハブ。
（項目１５）
前記回路は、前記二重モードポートが一時停止状態に入った場合、動作可能である、項目１４に記載のＵＳＢハブ。
（項目１６）
前記少なくとも１つの二重モードポートは、ＤＰ接続ラインおよびＤＭ接続ラインをさらに備え、
前記ＤＭ接続ラインは、前記ホスト検出回路と結合されており、
上流ポートとして動作しているとき、前記ホストの接続は、前記ホスト検出回路を用いて決定されることができ、前記ホスト検出回路は、ホストが切断されると、所定の論理値が前記ＤＭ接続ラインにおいて識別されるようにする、項目１５に記載のＵＳＢハブ。
（項目１７）
前記ホスト検出回路は、電流源を備えている、項目１４に記載のＵＳＢハブ。
（項目１８）
前記電流源は、前記ＤＭ接続ラインと接地との間に結合されている１０μＡ電流源である、項目１７に記載のＵＳＢハブ。
（項目１９）
前記ホスト検出回路は、前記ＤＭ接続ラインに結合されているプルアップレジスタを備えている、項目１６に記載のＵＳＢハブ。
（項目２０）
前記コントローラは、前記ホストが切断されたと決定された場合、前記二重モードポートが、下流ポートとしての機能に戻るように切り替わるように、前記二重モードポートにおけるモードを切り替えるように構成されている、項目１５に記載のＵＳＢハブ。